【手続補正書】
【提出日】平成16年4月27日(2004.4.27)
【手続補正１】
【補正対象書類名】明細書
【補正対象項目名】特許請求の範囲
【補正方法】変更
【補正の内容】
【特許請求の範囲】
【請求項１】
記録媒体に関する情報である媒体関連情報が、記録媒体上の情報信号とは別個の領域、あるいは、記録媒体に付随する部分に予め記録されている記録媒体を用い、情報信号を前記記録媒体に記録する記録装置部と、前記記録媒体に記録された情報信号を再生する再生装置部とからなる情報信号記録再生システムであって、
前記記録装置部は、
前記記録媒体から、あるいは、前記記録媒体に付随する部分から前記媒体関連情報を読み出す記録側の媒体関連情報読み出し手段と、
前記記録側の媒体関連情報読み出し手段により読み出された前記媒体関連情報を前記情報信号に付加する情報付加手段と、
前記情報付加手段により前記媒体関連情報が付加された前記情報信号を前記記録媒体に記録する記録手段と
を備え、
前記再生装置部は、
前記記録媒体から、あるいは、前記記録媒体に付随する部分から前記媒体関連情報を読み出す再生側の媒体関連情報読み出し手段と、
前記記録媒体から情報信号を読み出す情報信号読み出し手段と、
前記情報信号読み出し手段からの前記情報信号に付加されている前記媒体関連情報を検出する検出手段と、
前記再生側の媒体関連情報読み出し手段からの前記媒体関連情報と、前記検出手段からの前記媒体関連情報とが一致しているか否かを判別する判別手段と、
前記判別手段により、前記再生側の媒体関連情報読み出し手段からの前記媒体関連情報と、前記検出手段からの前記媒体関連情報とが一致している場合にのみ前記情報信号の再生を行うように制御する再生制御手段と
を備える情報信号記録再生システム。
【請求項２】
前記記録装置部は、前記記録側の媒体関連情報読み出し手段からの前記媒体関連情報をスペクトラム拡散する拡散手段を備え、
前記記録装置部の前記情報付加手段は、前記拡散手段によりスペクトラム拡散された前記媒体関連情報を、記録する前記情報信号に重畳するものであり、
前記再生装置部の検出手段は、スペクトラム逆拡散を行うことにより、前記情報信号にスペクトラム拡散されて重畳されている前記媒体関連情報を取り出すものであることを特徴とする請求項１に記載の情報信号記録再生システム。
【請求項３】
前記記録装置部は、前記記録側の媒体関連情報読み出し手段からの前記媒体関連情報を微小レベルの信号にする信号レベル変換手段を備え、
前記情報付加手段は、前記信号レベル変換手段により微小レベルの信号とされた前記媒体関連情報を、記録する前記情報信号に付加するものであり、
前記再生装置部の検出手段は、前記情報信号に微小レベルの信号として付加されている前記媒体関連情報を取り出すものであることを特徴とする請求項１に記載の情報信号記録再生システム。
【請求項４】
前記記録装置部は、前記記録側の媒体関連情報読み出し手段からの前記媒体関連情報を暗号化する暗号化手段を備え、
前記記録装置部の前記情報付加手段は、前記暗号化手段により暗号化された前記媒体関連情報を、記録する前記情報信号に付加するものであり、
前記再生装置部の検出手段は、情報信号に暗号化されて付加されている前記媒体関連情報を抽出し、復号化することにより、前記情報信号に付加されている前記媒体関連情報を取り出すものであることを特徴とする請求項１に記載の情報信号記録再生システム。
【請求項５】
前記再生装置部は、
前記判別手段の判別結果が、前記再生側の媒体関連情報読み出し手段からの前記媒体関連情報と、前記検出手段からの前記媒体関連情報とが一致していないことを示すものであるときに、再生しようとする前記記録媒体に記録されている前記情報信号を消去する情報信号消去手段を備えることを特徴とする請求項１、請求項２、請求項３または請求項４に記載の情報信号記録再生システム。
【請求項６】
前記再生装置部は、
前記判別手段の判別結果が、前記再生側の媒体関連情報読み出し手段からの前記媒体関連情報と、前記検出手段からの前記媒体関連情報とが一致していないことを示すものであるときに、情報信号が再生されないことを通知する通知手段を備えることを特徴とする請求項１、請求項２、請求項３、請求項４または請求項５に記載の情報信号記録再生システム。
【請求項７】
記録媒体に関する情報である媒体関連情報が、記録媒体上の情報信号とは別個の領域、あるいは、記録媒体に付随する部分に予め記録されている記録媒体に情報信号を記録する情報信号記録装置であって、
前記記録媒体、あるいは、前記記録媒体に付随する部分から前記媒体関連情報を読み出す媒体関連情報読み出し手段と、
前記媒体関連情報読み出し手段により読み出された前記媒体関連情報を前記情報信号に付加する情報付加手段と、
前記情報付加手段により前記媒体関連情報が付加された前記情報信号を前記記録媒体に記録する記録手段と
を備えることを特徴とする情報信号記録装置。
【請求項８】
前記媒体関連情報読み出し手段からの前記媒体関連情報をスペクトラム拡散する拡散手段を備え、
前記情報付加手段は、前記拡散手段によりスペクトラム拡散された前記媒体関連情報を、記録する前記情報信号に重畳するものであることを特徴とする請求項７に記載の情報信号記録装置。
【請求項９】
前記媒体関連情報読み出し手段からの前記媒体関連情報を微小レベルの信号にする信号レベル変換手段を備え、
前記情報付加手段は、前記信号レベル変換手段により微小レベルの信号とされた前記媒体関連情報を、記録する前記情報信号に付加するものであることを特徴とする請求項７に記載の情報信号記録装置。
【請求項１０】
前記媒体関連情報読み出し手段からの前記媒体関連情報を暗号化する暗号化手段を備え、
前記情報付加手段は、前記暗号化手段により暗号化された前記媒体関連情報を、記録する前記情報信号に付加するものであることを特徴とする請求項７に記載の情報信号記録装置。
【請求項１１】
記録媒体に関する情報である媒体関連情報が、記録媒体上の情報信号とは別個の領域、あるいは、記録媒体に付随する部分に予め記録されている記録媒体に記録されている、前記媒体関連情報が付加された情報信号の再生装置であって、
前記記録媒体から、あるいは、前記記録媒体に付随する部分から前記媒体関連情報を読み出す媒体関連情報読み出し手段と、
前記記録媒体から情報信号を読み出す情報信号読み出し手段と、
前記情報信号読み出し手段からの前記情報信号に付加されている前記媒体関連情報を検出する検出手段と、
前記媒体関連情報読み出し手段からの前記媒体関連情報と、前記検出手段からの前記媒体関連情報とが一致しているか否かを判別する判別手段と、
前記判別手段により、前記再生側の媒体関連情報読み出し手段からの前記媒体関連情報と、前記検出手段からの前記媒体関連情報とが一致している場合にのみ前記情報信号の再生を行うように制御する再生制御手段と
を備える情報信号再生装置。
【請求項１２】
前記情報信号に付加されている媒体関連情報は、スペクトラム拡散されて前記情報信号に重畳されており、
前記検出手段は、スペクトラム逆拡散を行うことにより、前記情報信号にスペクトラム拡散されて重畳されている前記媒体関連情報を取り出すものであることを特徴とする請求項１１に記載の情報信号再生装置。
【請求項１３】
前記情報信号に付加されている媒体関連情報は、微小レベルの信号として付加されており、
前記検出手段は、前記情報信号に微小レベルの信号として付加されている前記媒体関連情報を取り出すものであることを特徴とする請求項１１に記載の情報信号再生装置。
【請求項１４】
前記情報信号に付加されている付加情報は、暗号化されて前記情報信号に付加されており、
前記検出手段は、情報信号に暗号化されて付加されている前記媒体関連情報を抽出し、復号化することにより、前記情報信号に付加されている前記媒体関連情報を取り出すものであることを特徴とする請求項１１に記載の情報信号再生装置。
【請求項１５】
前記判別手段の判別結果が、前記媒体関連情報読み出し手段からの前記媒体関連情報と、前記検出手段からの前記媒体関連情報とが一致していないことを示すものであるときに、再生しようとする前記記録媒体に記録されている前記情報信号を消去する情報信号消去手段を備えることを特徴とする請求項１１、請求項１２、請求項１３または請求項１４に記載の情報信号再生装置。
【請求項１６】
前記判別手段の判別結果が、前記媒体関連情報読み出し手段からの前記媒体関連情報と、前記検出手段からの前記媒体関連情報とが一致していないことを示すものであるときに、情報信号が再生されないことを通知する通知手段を備えることを特徴とする請求項１１、請求項１２、請求項１３、請求項１４または請求項１５に記載の情報信号再生装置。
【請求項１７】
記録媒体に関する情報である媒体関連情報が、記録媒体上の情報信号とは別個の領域、あるいは、記録媒体に付随する部分に予め記録されている記録媒体を用い、情報信号の前記記録媒体への記録および前記記録媒体に記録されている情報信号の再生を行う情報信号の記録再生方法であって、
前記情報信号を前記記録媒体に記録する場合にあっては、
前記記録媒体から、あるいは、前記記録媒体に付随する部分から前記媒体関連情報を読み出す記録側の媒体関連情報読み出し工程と、
読み出した前記媒体関連情報を前記情報信号に付加する情報付加工程と、
前記媒体関連情報が付加された前記情報信号を前記記録媒体に記録する記録工程と
を備え、
前記記録媒体に記録されている前記情報信号を再生する場合にあっては、
前記記録媒体から、あるいは、前記記録媒体に付随する部分から前記媒体関連情報を読み出す再生側の媒体関連情報読み出し工程と、
前記記録媒体から情報信号を読み出す情報信号読み出し工程と、
前記情報信号読み出し工程からの前記情報信号に付加されている前記媒体関連情報を検出する検出工程と、
前記再生側の媒体関連情報読み出し工程からの前記媒体関連情報と、前記検出工程からの前記媒体関連情報とが一致しているか否かを判別する判別工程と、
前記再生側の媒体関連情報読み出し工程からの前記媒体関連情報と、前記検出工程からの前記媒体関連情報とが一致している場合にのみ前記情報信号の再生を行う再生工程と
を備えたことを特徴とする情報信号記録再生方法。
【請求項１８】
情報信号を前記記録媒体に記録する記録装置部と、前記記録媒体に記録された情報信号を再生する再生装置部とからなる情報信号記録再生システムであって、
前記記録装置部は、
情報信号の記録を行う記録装置に関連する情報である装置関連情報を取得する記録側の装置関連情報取得手段と、
前記記録側の媒体関連情報取得手段からの前記装置関連情報に基づいて付加情報を生成する付加情報生成手段と、
前記付加情報生成手段により生成された前記付加情報を前記情報信号に付加する情報付加手段と、
前記情報付加手段により前記付加情報が付加された前記情報信号を前記記録媒体に記録する記録手段と
を備え、
前記再生装置部は、
情報信号の再生を行う再生装置に関連する情報である装置関連情報を取得する再生側の装置関連情報取得手段と、
前記記録媒体から情報信号を読み出す情報信号読み出し手段と、
前記再生側の装置関連情報取得手段により取得された前記装置関連情報に基づいて、情報信号読み出し手段からの前記情報信号に付加されている前記付加情報を検出する付加情報検出手段と、
前記付加情報検出手段により、前記情報信号に付加されている前記付加情報が検出された場合にのみ前記情報信号の再生を行うように制御する再生制御手段と
を備える情報信号記録再生システム。
【請求項１９】
前記記録装置部は、
補助記録媒体が装填される記録側の補助記録媒体装填手段を備え、
前記記録側の装置関連情報取得手段は、前記記録側の補助記録媒体装填手段に装填された前記補助記録媒体から前記装置関連情報を取得するものであり、
前記再生装置部は、
補助記録媒体が装填される再生側の補助記録媒体装填手段を備え、
前記再生側の装置関連情報取得手段は、前記再生側の補助記録媒体装填手段に装填された前記補助記録媒体から前記装置関連情報を取得するものであることを特徴とする請求項１８に記載の情報信号記録再生システム。
【請求項２０】
前記記録装置部の前記記録側の前記付加情報生成手段は、前記記録側の装置関連情報取得手段からの前記装置関連情報を暗号化キーとして暗号化を行うことにより前記付加情報を生成するものであり、
前記再生装置部の前記付加情報検出手段は、前記再生側の装置関連情報取得手段からの前記装置関連情報を復号化キーとして復号化を行うことにより、前記情報信号読み出し手段からの前記情報信号に付加されている前記付加情報を検出するものであることを特徴とする請求項１８または請求項１９に記載の情報信号記録再生システム。
【請求項２１】
前記再生装置部は、
前記付加情報検出手段により、前記情報信号から前記付加情報が検出できなかったときには、再生しようとする前記記録媒体に記録されている前記情報信号を消去する情報信号消去手段を備えることを特徴とする請求項１８、請求項１９または請求項２０に記載の情報信号記録再生システム。
【請求項２２】
前記再生装置部は、
前記付加情報検出手段により、前記情報信号から前記付加情報が検出できなかったときに、前記情報信号が再生されないことを通知する通知手段を備えることを特徴とする請求項１８、請求項１９、請求項２０または請求項２１に記載の情報信号記録再生システム。
【請求項２３】
記録装置に関連する情報である装置関連情報を記録媒体に記録する情報信号に付加して記録する情報信号記録装置であって、
前記装置関連情報を取得する装置関連情報取得手段と、
装置関連情報取得手段により取得された前記装置関連情報を前記情報信号に付加する情報付加手段と、
前記情報付加手段により前記装置関連情報が付加された前記情報信号を前記記録媒体に記録する記録手段と
を備えたことを特徴とする情報信号記録装置。
【請求項２４】
補助記録媒体が装填される補助記録媒体装填手段を備え、
前記装置関連情報取得手段は、前記補助記録媒体装填手段に装填された前記補助記録媒体から前記装置関連情報を取得するものであることを特徴とする請求項２３に記載の情報信号記録装置。
【請求項２５】
前記装置関連情報取得手段からの前記装置関連情報をスペクトラム拡散する拡散手段を備え、
前記情報付加手段は、前記拡散手段によりスペクトラム拡散された前記装置関連情報を、記録する前記情報信号に重畳するものであることを特徴とする請求項２３または請求項２４に記載の情報信号記録装置。
【請求項２６】
前記装置関連情報取得手段からの前記装置関連情報を微小レベルの信号する信号レベル変換手段を備え、
前記情報付加手段は、前記信号レベル変換手段により微小レベルの信号とされた前記装置関連情報を、記録する前記情報信号に付加するものであることを特徴とする請求項２３または請求項２４に記載の情報信号記録装置。
【請求項２７】
前記装置関連情報取得手段からの前記装置関連情報を暗号化する暗号化手段を備え、
前記前記情報付加手段は、前記暗号化手段により暗号化された前記装置関連情報を、記録する前記情報信号に付加するものであることを特徴とする請求項２３または請求項２４に記載の情報信号記録装置。
【請求項２８】
記録装置に関連する装置関連情報が付加されて記録媒体に記録された情報信号の再生装置であって、
情報信号を再生する再生装置に関連する情報である装置関連情報を取得する再生側の装置関連情報取得手段と、
前記記録媒体から情報信号を読み出す情報信号読み出し手段と、
前記情報信号読み出し手段からの前記情報信号に付加されている前記装置関連情報を検出する検出手段と、
前記装置関連情報取得手段からの装置関連情報と、前記検出手段からの装置関連情報とが一致しているか否かを判別する判別手段と、
前記判別手段により、前記装置関連情報取得手段からの装置関連情報と、前記検出手段からの装置関連情報とが一致している場合にのみ前記情報信号の再生を行うように制御する再生制御手段と
を備えたことを特徴とする情報信号再生装置。
【請求項２９】
補助記録媒体が装填される補助記録媒体装填手段を備え、
前記装置関連情報取得手段は、前記補助記録媒体装填手段に装填された前記補助記録媒体から前記装置関連情報を取得するものであることを特徴とする請求項２８に記載の情報信号再生装置。
【請求項３０】
前記情報信号に付加されている装置関連情報は、スペクトラム拡散されて前記情報信号に重畳されており、
前記検出手段は、スペクトラム逆拡散を行うことにより、前記情報信号にスペクトラム拡散されて重畳されている前記装置関連情報を取り出すものであることを特徴とする請求項２８または請求項２９に記載の情報信号再生装置。
【請求項３１】
前記情報信号に付加されている装置関連情報は、微小レベルの信号として付加されており、
前記検出手段は、前記情報信号に微小レベルの信号として付加されている前記装置関連情報を取り出すものであることを特徴とする請求項２８または請求項２９に記載の情報信号再生装置。
【請求項３２】
前記情報信号に付加されている付加情報は、暗号化されて前記情報信号に付加されており、
前記検出手段は、情報信号に暗号化されて付加されている前記装置関連情報を抽出し、復号化することにより、前記情報信号に付加されている前記装置関連情報を取り出すものであることを特徴とする請求項２８または請求項２９に記載の情報信号再生装置。
【請求項３３】
前記判別手段の判別結果が、前記装置関連情報取得手段からの装置関連情報と、前記検出手段からの装置関連情報とが一致していないことを示すものであるときに、再生しようとする前記記録媒体に記録されている前記情報信号を消去する情報信号消去手段を備えることを特徴とする請求項２８、請求項２９、請求項３０、請求項３１または請求項３２に記載の情報信号再生装置。
【請求項３４】
前記判別手段の判別結果が、前記装置関連情報取得手段からの装置関連情報と、前記検出手段からの装置関連情報とが一致していないことを示すものであるときに、情報信号が再生されないことを通知する通知手段とを備えることを特徴とする請求項２８、請求項２９、請求項３０、請求項３１、請求項３２または請求項３３に記載の情報信号再生装置。
【手続補正２】
【補正対象書類名】明細書
【補正対象項目名】００３４
【補正方法】削除
【補正の内容】
【手続補正３】
【補正対象書類名】明細書
【補正対象項目名】００３５
【補正方法】削除
【補正の内容】
【手続補正４】
【補正対象書類名】明細書
【補正対象項目名】００３６
【補正方法】削除
【補正の内容】
【手続補正５】
【補正対象書類名】明細書
【補正対象項目名】００３７
【補正方法】削除
【補正の内容】
【手続補正６】
【補正対象書類名】明細書
【補正対象項目名】００３８
【補正方法】削除
【補正の内容】
【手続補正７】
【補正対象書類名】明細書
【補正対象項目名】００３９
【補正方法】削除
【補正の内容】
【手続補正８】
【補正対象書類名】明細書
【補正対象項目名】００４０
【補正方法】削除
【補正の内容】
【手続補正９】
【補正対象書類名】明細書
【補正対象項目名】０２３３
【補正方法】変更
【補正の内容】
【０２３３】
このように、記録時においては、媒体固有情報などの記録媒体に関する情報や、装置固有情報などの装置に関連する情報、あるいは、ＩＣカードメモリに記録されたＩＤ情報に基づいて付加情報を生成して、この付加情報を映像信号に付加して記録媒体に記録し、再生時においては、媒体固有情報などの記録媒体に関する情報や、装置固有情報などの装置に関連する情報、あるいは、ＩＣカードメモリに記録されたＩＤ情報に基づいて映像信号に付加された付加情報を検出するようにすることができる。